(57)【要約】【課題】産業廃棄物として捨てられていた貝類のワタ部分を釣餌として効率的に利用することが出来るようなギャング釣り用餌針及びそれを含む仕掛けをを提供すること。【解決手段】上下方向に連なる複数組のギャング針（gang hook）から構成される、フグ釣り等のギャング釣り用の餌針、及び、該餌針を含む仕掛け。【選択図】  図１
2006174781.tif 000002
【特許請求の範囲】
【請求項１】
上下方向に連なる複数組のギャング針から構成される餌針。
【請求項２】
ギャングに返しがついている、請求項１記載の餌針。
【請求項３】
ギャング針が３〜２０本の釣針を錨形に合わせたものである、請求項１又は２に記載の餌針。
【請求項４】
ギャング針の水平方向における直径が１０〜５０ｍｍである、請求項１ないし３のいずれか一項に記載の餌針。
【請求項５】
上方に位置するギャング針の最下部と下方に位置するギャング針の先端との距離が５〜２０ｍｍである、請求項１ないし４のいずれか一項に記載の餌針。
【請求項６】
ギャング釣用である、請求項１ないし５のいずれか一項に記載の餌針。
【請求項７】
フグ釣用である、請求項６記載の餌針。
【請求項８】
請求項１ないし６のいずれか一項に記載の餌針を含む仕掛け。
【請求項９】
フグ釣用である、請求項８記載の仕掛け。
【発明の詳細な説明】
【技術分野】
【０００１】
本発明は、フグ釣等のギャング釣用餌針及びそれを含む仕掛けに関する。
【背景技術】
【０００２】
近年、フグ及びハゲ（（カワハギ）等をギャング釣で釣ることがよく行われている。ギャング釣とは、一般に、小エビ及び貝類等の適当な餌をつける餌針（親針）の下方に、適当な間隔をあけて、ギャング針をつけた仕掛けで釣る方法である。
【０００３】
「ギャング針」とは、別名、「錨型釣針」とも呼ばれ、複数の針を錨形に合わせて構成される釣針である。このようなギャング針としてカットウバリ（イカ針）が用いられることもあり、そのような場合には「カットウ仕掛け」と呼ばれることもある。
【０００４】
従来のギャング釣における仕掛けでは、一つ又は複数の餌針を用いて、夫々の餌針に適当な餌を取り付けて行われている。この際に、特に、アオヤギ等の貝類を餌として使用する場合に、釣の最中に餌が外れないようにする為には、貝の内臓部分（ワタ）を餌針につけるだけでは不十分であり、更に、貝の筋肉（シタ）のような身のしっかりとした部分も一緒に針に取り付ける必要があった。
【特許文献１】特開平８−２６６１９７号公報
【特許文献２】特開２０００−２１７４６６号公報
【発明の開示】
【発明が解決しようとする課題】
【０００５】
ところで、貝類のシタの部分は刺身等の生食の料理の原料としても食されており、その場合には、ワタの部分はこれまで産業廃棄物として捨てられていた。近年、アオヤギ等の貝類の収穫量が減少してきていることもあり、このように従来は単に産業廃棄物として捨てられていた貝類のワタ部分を釣餌として有効利用することが望まれる。
【０００６】
そこで、本発明者は、上記のように、産業廃棄物として捨てられていた貝類のワタ部分を釣餌として効率的に利用することが出来るような餌針及びそれを含む仕掛けを検討し、従来のギャング針を餌針として利用して工夫することで、上記課題を解決されることを見出し、本発明を完成した。
【課題を解決するための手段】
【０００７】
即ち、本発明は、上下方向に連なる複数組のギャング針（gang hook）から構成される餌針、及び、該餌針を含む仕掛けに係るものである。ここで「ギャング針」とは、既に記載したように、「錨型釣針」とも呼ばれる型の釣針であり、当業者には周知のものである。一つのギャング針は、通常、２〜４本程度の複数の単針を錨形に合わせて構成される。尚、本発明の仕掛けにおいて、餌針以外のギャング針又はカットウバリ（掛針）、釣り糸、おもり、おもりと掛針等を結ぶ糸、金属線又は樹脂線及び竿等の他の要素は当業者に公知の任意の構成とすることが出来る。
【発明の効果】
【０００８】
本発明の餌針は、上下方向に連なる複数のギャング針から構成されていることにより、貝類等のワタのような柔らかな肉質の部分だけを餌として使用しても、それをしっかり餌針に固定・保持することができる。その結果、釣に際して餌が餌針から外れずに長時間維持される（「餌持ち」が良い）、という効果が得られる。更に、従来は、産業廃棄物として捨てられていたこのようなワタ部分を資源として有効に利用することができる。又、本発明の餌針を用いれば、例えば、貝類等の餌の入ったパック等の適当な容器に本発明の餌針を入れて適当に動かすことにより簡単に餌を餌針に引っ掛けて固定・保持することが可能である。その結果、手で餌を餌針に取り付ける手間が不要となり、又、貝類等の身及び臭いが手に付着することも無くなる。
【発明を実施するための最良の形態】
【０００９】
本発明の餌針に用いられるギャング針自体の構造及び形状等に特に制限はなく、当業者に公知の任意のものから、釣ろうとする魚の種類、釣り場の状況等に応じて、適宜、選択することが出来る。例えば、フグ釣り用には、ギャング針が３〜２０本の釣針（単針）を錨形に合わせたものであり、そのようなギャング針の水平方向における直径は、通常、１０〜５０ｍｍ程度である。尚、餌を確実に固定・保持する為には、夫々のギャング針の先端には「返し（カエシ）」がついていることが好ましく、このような返しの構造自体も当業者には公知である。
【００１０】
本発明の餌針においては、複数組のギャング針が上下方向に互いに連なることが重要である。ギャング針の組数及びお互いの相対的な位置関係も特に制限はなく、釣ろうとする魚の種類、釣り場の状況等に応じて、適宜、選択することが出来る。フグ釣り用には、例えば、２〜４組程度のギャング針を使用し、例えば、上方に位置するギャング針の最下部と下方に位置するギャング針の先端との距離が５〜２０ｍｍ（Ｂ）であることが好ましい。又、本発明の餌針を構成する複数組のギャング針の各組の構造（ギャング針を構成する釣針の数、大きさ、形状等）は均一である必要はなく、複数種類のギャング針を連結して本発明の餌針を構成することも出来る。
【００１１】
本発明の餌針は、複数組のギャング針を用いて当業者に公知の任意の方法で容易に製造することが出来る。例えば、金属製などのテンビンの棒等の適当な棒（管状でもよい）を用意し、これにカエシ付きの単針を、必要に応じて接着剤を用いて金属線で仮止めした後、金属線又は樹脂線等で固定するか、又は、ハンダ等で溶着固定する。或いは、棒等を使用せずに、複数の単針どうしを直接に金属線又は樹脂線等で固定するか、又は、ハンダ等で溶着固定することも出来る。更に、市販されている適当なギャング針を用いて、一つのギャング針下部のくぼみに、もう一つのギャング針の軸の先端を差し込み、その差し込まれた部分をハンダ又は接着剤によって適当な金属線又は樹脂線に固定する。尚、上下管付きのギャング針を用いる場合には、下部の管にもう一つのギャング針の軸の先端を差込み、同様の方法で固定することが出来る。本発明の餌針の一具体例を図１に示す。
【００１２】
本発明の餌針を含む、フグ釣り用の仕掛けの一例を図２及び図３に示す。図２の仕掛けでは貫通型おもりに外付けテンビンを取り付け、金属線を介して図１に示した本発明の餌針が取り付けられている。図３の仕掛けでは、おもりの下部・側面に餌針がおもり内部に直接打ち込まれる形で取り付けられている。尚、おもりの最下部に餌針を取り付け連結型の仕掛けとすることも可能である。このような場合には、餌針を直接打ち込んだり溶着して固定するか、又は、おもりを型に流し込む際にテンビンを挿入し、そのテンビンに餌針を上記の方法で固定することができる。
【００１３】
本発明の技術的範囲はこれに何等限定されるものではない。当業者であれば、本発明の特許請求の範囲に記載された技術的特徴に基づき容易に想到することが出来る、各種の変形及び修飾態様も本発明の技術的範囲に含まれるものである。
【産業上の利用可能性】
【００１４】
本発明の餌針及びそれを含む仕掛けは、フグ釣り等におけるギャング釣用の餌針として、特に貝類等の柔らかい餌を使用する場合に非常に有効に使用することが出来る。
【図面の簡単な説明】
【００１５】
【図１】本発明の餌針の一例を示す写真である。
【図２】本発明の餌針を含むフグのギャング釣用仕掛けの一例を示す写真である。
【図３】本発明の餌針を含むフグのギャング釣用仕掛けの一例を示す写真である。
【図４】従来のギャング釣用仕掛けの一例である。
【符号の説明】
【００１６】
１  餌針
２  餌針を構成するギャング針（カットウバリ）
３  ギャング針の水平方向における直径
４  上方に位置するギャング針の最下部と下方に位置するギャング針の先端との距離
５  オモリ
６  仕掛けにおいて実際に魚を引っ掛けるためのギャング針（掛針）
７  おもりと掛針を結ぶ樹脂線
【図１】
2006174781.tif 000003
【図２】
2006174781.tif 000004
【図３】
2006174781.tif 000005
【図４】
2006174781.tif 000006